(57)【特許請求の範囲】
【請求項１】
上面パネル、底面パネル、前面パネル、背面パネル及び一対の側面パネルを備えた偏平直方体形状の板紙製のカートンであって、上面パネルから前面パネルにかけて開閉用の蓋パネルが区画され、その蓋パネルは後方の折曲げ線を介して上方に持ち上げられるようになっており、その折曲げ線として、断続的に並んで設けられた複数の切れ目からなり、各切れ目はそれらの端が並び方向に離間した状態で且つそれらが並び方向に向かって左右交互に設けられており、板紙を切れ目の並び方向で折り曲げると、隣接する切れ目の向かい合う端どうしを繋ぐ仮想線の中心付近から切れ目の端に向かって板紙の組織破壊が徐々に大きく起こるようにして折り曲げられるように構成されたヒンジ部を用いたことを特徴とするカートン。
【発明の詳細な説明】
【技術分野】
【０００１】
本発明は、板紙製の紙器であるカートンの技術分野に属し、詳しくは、繰り返して折り曲げられるヒンジ部のあるカートンに関するものである。
【背景技術】
【０００２】
従来より、板紙や段ボールは各種の紙器に利用されている。そして、板紙製の紙器としては種々のタイプの箱があるが、これらは一般的には、印刷、型抜き、そして貼合の工程により製造される。このような紙器の中でも、上板の一部に内容物の取出口となる開閉蓋を備えたタイプの容器が知られている（特許文献１参照。）。
【０００３】
このタイプの容器は、上板に折曲線を介して蓋板を連結しており、この蓋板はミシン目のところを切断してから、折曲線をヒンジ部として上方へ持ち上げることで取出口が形成されるようになっている。そして、蓋板の折曲線を押し罫で構成することもあるが、蓋板を持ち上げやすく且つ戻りにくくするために、通常は、押し罫に重ねて断続的に切れ目を形成した所謂リード罫でヒンジ部としての折曲線を構成している。なお、これらの押し罫やリード罫は型抜き工程で形成されるものである。
【先行技術文献】
【特許文献】
【０００４】
【特許文献１】特開２００１−１３９０２５号公報
【発明の概要】
【発明が解決しようとする課題】
【０００５】
上記したように、板紙製の容器では、その一部分を蓋として開けるような場合、蓋のヒンジ部としてリード罫を形成することが多い。ところが、リード罫は押し罫に重ねて断続的に切れ目を形成したものであるため、折り曲げた時に残った押し罫の部分に反発力が発生し、蓋が戻りやすいという傾向がある。したがって、蓋を開けた状態を保ちたい場合は使い勝手が悪いという問題点がある。そこで、反発力を小さくしようとしてミシン目の割合を多くすると、繰り返して折り曲げた場合に切れやすくなってしまう。
【０００６】
本発明は、このような事情に鑑みてなされたものであり、その目的とするところは、折り曲げた時に生じる反発力が小さく、しかも繰り返し折り曲げた場合でも切れにくいヒンジ部を有する板紙製のカートンを提供することにある。
【課題を解決するための手段】
【０００７】
上記の目的を達成するため、本発明は、上面パネル、底面パネル、前面パネル、背面パネル及び一対の側面パネルを備えた偏平直方体形状の板紙製のカートンであって、上面パネルから前面パネルにかけて開閉用の蓋パネルが区画され、その蓋パネルは後方の折曲げ線を介して上方に持ち上げられるようになっており、その折曲げ線として、断続的に並んで設けられた複数の切れ目からなり、各切れ目はそれらの端が並び方向に離間した状態で且つそれらが並び方向に向かって左右交互に設けられており、板紙を切れ目の並び方向で折り曲げると、隣接する切れ目の向かい合う端どうしを繋ぐ仮想線の中心付近から切れ目の端に向かって板紙の組織破壊が徐々に大きく起こるようにして折り曲げられるように構成されたヒンジ部を用いたことを特徴とする。
【０００８】
本発明のカートンにおけるヒンジ部は、後でも例示するように、断続的に並んで設ける切れ目の形状に特に限定はない。すなわち、切れ目の形状は、板紙の厚さ、開閉の度合い、開閉の耐久性などに応じて適宜決めるようにすればよい。また、切れ目を規則正しく設けるのがデザイン上から好ましい場合が多いが、必ずしも規則正しくなくてもよい。また、切れ目はヒンジ部となるところに渡って全て設ける必要はなく、一部分に設けるようにしてもよい。
【発明の効果】
【０００９】
本発明のカートンは、開閉用の蓋パネルをその後方のヒンジ部で折り曲げると、切れ目の端に近い部分は板紙の組織破壊が大きくなるが、隣接する切れ目の向かい合う端どうしを繋ぐ仮想線の中心付近は板紙の組織破壊が小さく、強度があまり落ちない状態を保つことから、蓋パネルをヒンジ部で折り曲げる時の反発力が小さくなるとともに、繰り返し折り曲げても切れにくいという利点がある。
【図面の簡単な説明】
【００１０】
【図１】本発明で用いるヒンジ部の一例を示す平面図である。
【図２】図１の一部拡大図である。
【図３】本発明で用いるヒンジ部の別の例を示す平面図である。
【図４】図３の一部拡大図である。
【図５】本発明で用いるヒンジ部のさらに別の例を示す平面図である。
【図６】図５の一部拡大図である。
【図７】本発明で用いるヒンジ部のさらに別の例を示す平面図である。
【図８】図７の一部拡大図である。
【図９】本発明に係る板紙製のカートンを開封前の状態で示す斜視図である。
【図１０】図９のカートンを開封後の状態で示す斜視図である。
【発明を実施するための形態】
【００１１】
図１は本発明で用いるヒンジ部の一例を示す平面図であり、図２は図１の一部拡大図である。なお、図１は板紙においてヒンジ部のある領域の一部分を囲んで示している。
【００１２】
図１及び図２に示すように、このヒンジ部は板紙Ｓの折曲げ線を構成すべく断続的に並んで設けられた複数の直線状の切れ目１からなる。そして、各切れ目１はそれらの端１ａが並び方向Ｘに離間した状態で且つ並び方向Ｘに向かって左右交互に設けられている。以下の例でも同じであるが、これらの切れ目１は印刷後の型抜き工程で板紙Ｓの型抜きと同時に形成される。
【００１３】
このヒンジ部が設けられた板紙Ｓを切れ目１の並び方向Ｘで折り曲げると、並びと直交する向き（曲げ方向Ｙ）に折曲げ線を生じようとし、板紙Ｓの組織にはこの曲げ方向Ｙに引張力が作用する。一方、この曲げに伴って板紙Ｓは、隣接する切れ目１の向かい合う端どうしを繋ぐ仮想線ｉで折れようとする。このため、仮想線ｉのところで一種のねじれ現象が生じ、その結果、仮想線ｉの中心付近Ａから切れ目１の端に向かって板紙Ｓの組織破壊が徐々に大きく起こる。
【００１４】
このように折曲げが行われることにより、切れ目１の端に近い部分は板紙Ｓの組織破壊が大きくなるが、隣接する切れ目１の向かい合う端どうしを繋ぐ仮想線ｉの中心付近Ａは板紙Ｓの組織破壊が小さく、強度があまり落ちない状態を保つ。したがって、このヒンジ部においては、折曲げ時の反発力が小さくなるとともに、繰り返し折り曲げても切れにくいものとなる。
【００１５】
図３は本発明で用いるヒンジ部の別の例を示す平面図であり、図４は図３の一部拡大図である。なお、図３は板紙においてヒンジ部のある領域の一部分を囲んで示している。
【００１６】
図３及び図４に示すように、このヒンジ部は板紙Ｓの折曲げ線を構成すべく断続的に並んで設けられた複数のへの字状の切れ目２からなる。そして、各切れ目２はそれらの端２ａが並び方向Ｘに離間した状態で且つ並び方向Ｘに向かって左右交互に設けられている。しかも、隣接する切れ目２の折れ曲がり方向が同じ向きとなるようにへの字状に形成されている。
【００１７】
このヒンジ部が設けられた板紙Ｓを切れ目２の並び方向Ｘで折り曲げると、前記したのと同様に一種のねじれ現象を生じながら折曲げが行われる。ただ、このヒンジ部の場合、隣接する切れ目２の折れ曲がり方向が仮想線ｉと同じになっており、切れ目２の端での組織破壊がスムースであるため、先に説明した直線状の切れ目１からなるヒンジ部に比べると折り曲げやすい。
【００１８】
このように折曲げが行われることにより、切れ目２の端に近い部分は板紙Ｓの組織破壊が大きくなるが、隣接する切れ目２の向かい合う端どうしを繋ぐ仮想線ｉの中心付近Ａは板紙Ｓの組織破壊が小さく、強度があまり落ちない状態を保つ。したがって、このヒンジ部においても、折曲げ時の反発力が小さくなるとともに、繰り返し折り曲げても切れにくいものとなる。
【００１９】
図５は本発明で用いるヒンジ部のさらに別の例を示す平面図であり、図６は図５の一部拡大図である。なお、図５は板紙においてヒンジ部のある領域の一部分を囲んで示している。
【００２０】
図５及び図６に示すように、このヒンジ部は板紙Ｓの折曲げ線を構成すべく断続的に並んで設けられた複数の両端カギ状の切れ目３からなる。そして、各切れ目３はそれらの端３ａが並び方向Ｘに離間した状態で且つ並び方向Ｘに向かって左右交互に設けられている。しかも、隣接する切れ目３の折れ曲がり方向が同じ向きとなるように両端カギ状に形成されている。
【００２１】
このヒンジ部が設けられた板紙Ｓを切れ目３の並び方向Ｘで折り曲げると、前記したのと同様に一種のねじれ現象を生じながら折曲げが行われる。ただ、このヒンジ部の場合も、隣接する切れ目３の折れ曲がり方向が仮想線ｉと同じになっており、切れ目３の端での組織破壊がスムースであるため、先に説明した直線状の切れ目１からなるヒンジ部に比べると折り曲げやすい。
【００２２】
このように折曲げが行われることにより、切れ目３の端に近い部分は板紙Ｓの組織破壊が大きくなるが、隣接する切れ目３の向かい合う端どうしを繋ぐ仮想線ｉの中心付近Ａは板紙Ｓの組織破壊が小さく、強度があまり落ちない状態を保つ。したがって、このヒンジ部においても、折曲げ時の反発力が小さくなるとともに、繰り返し折り曲げても切れにくいものとなる。
【００２３】
図７は本発明で用いるヒンジ部のさらに別の例を示す平面図であり、図８は図７の一部拡大図である。なお、図７は板紙においてヒンジ部のある領域の一部分を囲んで示している。
【００２４】
図７及び図８に示すように、このヒンジ部は板紙Ｓの折曲げ線を構成すべく断続的に並んで設けられた複数の湾曲状の切れ目４からなる。そして、各切れ目４はそれらの端４ａが並び方向Ｘに離間した状態で且つ並び方向Ｘに向かって左右交互に設けられている。しかも、隣接する切れ目４の仮想延長線が繋がるような曲線で形成されている。
【００２５】
このヒンジ部が設けられた板紙Ｓを切れ目４の並び方向Ｘで折り曲げると、前記したのと同様に一種のねじれ現象を生じながら折曲げが行われる。ただ、このヒンジ部の場合も、隣接する切れ目４の延長方向が仮想線ｉと同じになっており、切れ目４の端での組織破壊がスムースであるため、先に説明した直線状の切れ目１からなるヒンジ部に比べると折り曲げやすい。
【００２６】
このように折曲げが行われることにより、切れ目４の端に近い部分は板紙Ｓの組織破壊が大きくなるが、隣接する切れ目４の向かい合う端どうしを繋ぐ仮想線ｉの中心付近Ａは板紙Ｓの組織破壊が小さく、強度があまり落ちない状態を保つ。したがって、このヒンジ部においても、折曲げ時の反発力が小さくなるとともに、繰り返し折り曲げても切れにくいものとなる。
【００２７】
図９及び図１０は本発明に係る板紙製のカートンを示すもので、それぞれ開封前と開封後の状態を示す斜視図である。
【００２８】
図示のカートン１０は、上面パネル１１、底面パネル１２、前面パネル１３、背面パネル１４、一対の側面パネル１５，１６を備えた横置きタイプの偏平直方体形状であり、上面パネル１１から前面パネル１３にかけて開閉用の蓋パネル１１ａが区画されている。蓋パネル１１ａは後方の折曲げ線２１を介して上方に持ち上げられるようになっており、前面パネル１３の一部により摘み部分１３ａが設けられている。ここで、折曲げ線２１には、図７及び図８で説明したヒンジ部と同じ形状のものが用いられている。すなわち、断続的に並んで設けられた複数の湾曲状の切れ目により折曲げ線２１が形成されており、この折曲げ線以外のところは公知のミシン目線２２で区画されている。そして、ミシン目線２２と折曲げ線２１との間には、折曲げ線２１による蓋パネル１１ａの折曲げを容易とするためにＵ字状切込２３が形成されている。
【００２９】
このカートン１０を開ける動作は次のようである。すなわち、前面パネル１３の摘み部分１３ａを引っ張ってミシン目線２２を破断しつつ、折曲げ線２１を介して蓋パネル１１ａを持ち上げるようにし、図１０に示す如く開封状態とする。このように折曲げ線２１のところで折り曲げた時の反発力は比較的小さいので、折曲げ線２１のヒンジ部に少し折り癖を付けると開封状態が維持される。
【００３０】
また、図１０のように開いたカートン１０を閉じるには、蓋パネル１１ａを元の位置に倒し、前面パネル１３の後にあった裏側パネル１７の円弧状切込１７ａに摘み部分１３ａを差し込んで固定する。これによりカートン１０を簡単に閉じることができる。そして、蓋パネル１１ａの開閉を繰り返しても、従来のリード罫に比べてヒンジ部のところは切れにくいものとなっている。
【符号の説明】
【００３１】
１，２，３，４  切れ目
１ａ，２ａ，３ａ，４ａ  端
１０  カートン
１１  上面パネル
１１ａ  蓋パネル
１２  底面パネル
１３  前面パネル
１３ａ  摘み部分
１４  背面パネル
１５，１６  側面パネル
１７  裏側パネル
１７ａ  円弧状切込
２１  折曲げ線
２２  ミシン目線
２３  Ｕ字状切込
Ａ  中心付近
Ｓ  板紙
Ｘ  並び方向
Ｙ  曲げ方向
ｉ  仮想線
【図１】
0004756395.tif 000002
【図２】
0004756395.tif 000003
【図３】
0004756395.tif 000004
【図４】
0004756395.tif 000005
【図５】
0004756395.tif 000006
【図６】
0004756395.tif 000007
【図７】
0004756395.tif 000008
【図８】
0004756395.tif 000009
【図９】
0004756395.tif 000010
【図１０】
0004756395.tif 000011